(57)【特許請求の範囲】
【請求項１】
筒体の内部に摺動可能な一つ又は複数の芯体を備え、筒体の先端から露出した芯体を筒体内に収納する際に、芯体側を筒体側に当接させることによって前記露出した芯体を筒体内に停止させる出没式筆記具であって、筒体の後部に芯体の摺動方向にのびる貫通孔を設け、芯体側が筒体側に当接する際に生じる音を低減する音低減部材が、前記貫通孔に圧入されており、
前記音低減部材は、筒体と別体であって、弾性体で形成されるものであり、
前記音低減部材は、筒体内に突出し芯体側が当接する当接面と、筒体の外部に露出した頭部とを有し、
摩擦によって消去できるインキであって筒体の先端から露出した芯体から塗布されたインキを、前記頭部で摩擦することによって当該インキを消去可能であることを特徴とする出没式筆記具。
【請求項２】
筒体の内部に摺動可能な一つ又は複数の芯体を備え、筒体の先端から露出した芯体を筒体内に収納する際に、芯体側を筒体側に当接させることによって前記露出した芯体を筒体内に停止させる出没式筆記具であって、筒体は芯体の摺動方向にのびる貫通孔を有する尾栓を備えており、芯体側が筒体側に当接する際に生じる音を低減する音低減部材が、前記貫通孔に圧入されており、
前記音低減部材は、筒体と別体であって、弾性体で形成されるものであり、
前記音低減部材は、筒体内に突出し芯体側が当接する当接面と、筒体の外部に露出した頭部とを有し、
摩擦によって消去できるインキであって筒体の先端から露出した芯体から塗布されたインキを、前記頭部で摩擦することによって当該インキを消去可能であることを特徴とする出没式筆記具。
【請求項３】
筒体の内部に摺動可能な複数の芯体を備えており、
前記当接面は、円錐状であり、前記当接面に芯体側が面で当接することを特徴とする請求項１又は請求項２に記載の出没式筆記具。
【請求項４】
前記音低減部材は、円筒側壁部を有し、
前記円筒側壁部は、貫通孔内に圧入されていることを特徴とする請求項１乃至請求項３のうちのいずれかに記載の出没式筆記具。
【請求項５】
貫通孔は、前記音低減部材と螺合するねじ孔であり、音低減部材は、貫通孔にねじ込まれていることを特徴とする請求項１乃至請求項３のうちのいずれかに記載の出没式筆記具。
【発明の詳細な説明】
【技術分野】
【０００１】
本発明は、露出した芯体のペン先を筒体内に収納する際に、芯体側と筒体側とが衝突して生じる音を軽減する出没式筆記具に関するものである。
【背景技術】
【０００２】
複数色の芯体を備えたボールペンでは、使用する色の芯体のペン先を露出させ、その他の色の芯体のペン先はボールペンの筒体内に収納される。各芯体は、ペン先を筒体内に収納させる方向にばねで付勢されている。ペン先が筆記可能に筒体外に露出しているときには、芯体側の一部を筒体側に係合させることによってばねの付勢力に抗している。よって、露出したペン先を筒体内に収納する際には、この係合を外し、ばねの付勢力でペン先は筒体内に収納される。
【０００３】
その際、芯体がばねで付勢されているので、ペン先が筒体内に収納されると、芯体側が筒体側に衝突して音が生じる。この音は、必ずしも全ての人に不快感を与えるとは限らないが、会議中や静粛な状況下において発生させるのは好ましくない。そこで、特許文献１に開示されているように、ゴムチップを尾栓内に装着し、芯体側が筒体側に衝突することを防止し、発生する音を低減する構成が提案されている。
また、特許文献２に開示されている構成は、特許文献１に開示されている構成を改良したものであり、芯体側の一部が筒体側のスライド孔に沿って移動し、スライド孔の端部に設けた弾き音低減部材に衝突するので、衝突音は軽減される。
【特許文献１】実開平６−６８８８３号公報
【特許文献２】特開２００６−６２１００号公報
【発明の開示】
【発明が解決しようとする課題】
【０００４】
特許文献１や特許文献２に開示されている構成を採用すると、芯体側の部材が筒体側の部材に衝突した際に発生する音を低減することができる。
ところで、特許文献１や特許文献２に開示されている構成では、衝突の衝撃を和らげることができるが、消音効果は十分ではなかった。
【０００５】
そこで本発明は、芯体のペン先を収納する際の音を十分に低減できる出没式筆記具を提供することを目的としている。
【課題を解決するための手段】
【０００６】
上記課題を解決するための請求項１の発明は、筒体の内部に摺動可能な一つ又は複数の芯体を備え、筒体の先端から露出した芯体を筒体内に収納する際に、芯体側を筒体側に当接させることによって前記露出した芯体を筒体内に停止させる出没式筆記具であって、筒体の後部に芯体の摺動方向にのびる貫通孔を設け、芯体側が筒体側に当接する際に生じる音を低減する音低減部材が、前記貫通孔に圧入されており、前記音低減部材は、筒体と別体であって、弾性体で形成されるものであり、前記音低減部材は、筒体内に突出し芯体側が当接する当接面と、筒体の外部に露出した頭部とを有し、摩擦によって消去できるインキであって筒体の先端から露出した芯体から塗布されたインキを、前記頭部で摩擦することによって当該インキを消去可能であることを特徴とする出没式筆記具である。
ここで芯体側とは芯体及びペン先と一体に移動する部位を指し、筒体側とは筒体及び筒体に装着される音低減部材を指す。
【０００７】
請求項１の発明では、芯体側が筒体側に当接する際に生じる音を低減する音低減部材が、筒体の後部に設けた貫通孔に装着されている。これにより、芯体側が音低減部材に当接すると音低減部材は露出方向に逃げ、衝突の衝撃が緩和されて音が生じにくくなる。ここで、筒体の貫通孔に装着された音低減部材は筒体側の部材であり、芯体側は、筒体側の部材である音低減部材に当接する。
【０００８】
請求項２の発明は、筒体の内部に摺動可能な一つ又は複数の芯体を備え、筒体の先端から露出した芯体を筒体内に収納する際に、芯体側を筒体側に当接させることによって前記露出した芯体を筒体内に停止させる出没式筆記具であって、筒体は芯体の摺動方向にのびる貫通孔を有する尾栓を備えており、芯体側が筒体側に当接する際に生じる音を低減する音低減部材が、前記貫通孔に圧入されており、前記音低減部材は、筒体と別体であって、弾性体で形成されるものであり、前記音低減部材は、筒体内に突出し芯体側が当接する当接面と、筒体の外部に露出した頭部とを有し、摩擦によって消去できるインキであって筒体の先端から露出した芯体から塗布されたインキを、前記頭部で摩擦することによって当該インキを消去可能であることを特徴とする出没式筆記具である。
【０００９】
請求項２の発明では、芯体側が筒体側に当接する際に生じる音を低減する音低減部材が、尾栓の貫通孔に外部から装着されている。よって、音低減部材は筆記具の外部に露出した状態で尾栓に装着される。その結果、請求項１の発明と同様の効果を奏することができる。
【００１０】
請求項１及び請求項２の発明では、音低減部材が弾性体で構成されているので、振動を吸収し易い。よって、芯体側が筒体側に当接した際の当接音が低減され易い。
【００１１】
請求項１及び請求項２の発明では、音低減部材が尾栓の貫通孔に圧入されている。よって、組立ての簡素化を図ることができる。
【００１２】
請求項３の発明は、筒体の内部に摺動可能な複数の芯体を備えており、前記当接面は、円錐状であり、前記当接面に芯体側が面で当接することを特徴とする請求項１又は請求項２に記載の出没式筆記具である。
【００１３】
請求項３の発明では、音低減部材の円錐状の当接面に芯体側が面で当接するので、音低減部材の局部的な損耗を回避することができる。
【００１４】
請求項４に記載の発明は、前記音低減部材は、円筒側壁部を有し、前記円筒側壁部は、貫通孔内に圧入されていることを特徴とする請求項１乃至請求項３のうちのいずれかに記載の出没式筆記具である。
【００１５】
請求項５の発明は、貫通孔は、前記音低減部材と螺合するねじ孔であり、音低減部材は、貫通孔にねじ込まれていることを特徴とする請求項１乃至請求項３のうちのいずれかに記載の出没式筆記具である。
【００１６】
請求項５の発明では、貫通孔がねじ孔であり、音低減部材が貫通孔にねじ込まれているので、音低減部材が出没式筆記具から外れにくい。特に、圧入しながらねじ込むと、音低減部材をよりしっかりと出没式筆記具に固定することができる。
【００１７】
本発明の関連発明は、ペン先から塗布されたインキを摩擦することによって消去できる素材で音低減部材が構成されていることを特徴とする請求項１乃至請求項６のうちのいずれかに記載の出没式筆記具である。
【００１８】
本発明の関連発明では、ペン先から塗布されたインキを摩擦することによって消去できる素材で音低減部材が構成されているので、音低減部材は、芯体側が当接する当接音を低減すると共に、塗布されたインキを消去することもできる。
【発明の効果】
【００１９】
本発明を実施すると、出没式筆記具に音低減部材を設けて、芯体のペン先を収納する際の音を十分に低減することができる。
【発明を実施するための最良の形態】
【００２０】
以下、図面を参照しながら本発明の出没式筆記具の構成を説明する。
図１は、本発明を実施したボールペン１（出没式筆記具）の部分断面正面図である。図１（ａ）は筒体に尾栓を装着する直前の状態を示しており、図１（ｂ）は筒体に尾栓を装着した状態を示している。また、図１（ｃ）は図１（ａ）の部分拡大図であり、図１（ｄ）は図１（ｂ）の部分拡大図である。また、図２（ａ）はボールペンを筆記可能な状態にした部分断面正面図であり、図２（ｂ）は図２（ａ）の部分拡大図であり、図２（ｃ）は図２（ｂ）のｃ−ｃ断面矢視図である。
【００２１】
図１（ａ）に示すように、ボールペン１は、本体である筒体２、インキを収容した複数（図１では２つ）の芯体３ａ，３ｂ、芯体と一体の操作部４ａ，４ｂ、コイルばね５ａ，５ｂ、尾栓６、及び音低減部材７を備えている。
【００２２】
筒体２の頂部は開口しており、また、筒体２には前後方向（図１（ａ）で見て上下方向）にのびるスリット８ａ，８ｂが設けられている。また、筒体２の前方（図１（ａ）で見て下方）には、芯体３ａ（又は芯体３ｂ）の先端に設けられたペン先９ａを通過させるための孔１３が設けられている。また、筒体２の後方（図１（ａ）で見て上方）には、尾栓６が固着されている。尾栓６については後述する。
【００２３】
筒体２のスリット８ａには、ボールペン１の使用者が操作可能な操作部４ａが配置されている。操作部４ａの下部には芯体３ａが固定されている。また、操作部４ａの下部には段部１１ａが形成されており、この段部１１ａには圧縮されたコイルばね５ａの上端が当接している。コイルばね５ａの下端は筒体２の内周面に設けられた突出部（図示せず）と係合しており、段部１１ａ（操作部４ａ）が下降するとコイルばね５ａはさらに圧縮される。
【００２４】
操作部４ａは、スリット８ａに沿って上下方向に移動可能である。ボールペン１には、芯体３ａの先端のペン先９ａが筒体２の孔１３から突出する位置（図２（ａ））で操作部４ａを停止させる周知の停止手段（図示せず）が設けられている。停止手段はワンタッチで解除可能であり、停止手段が解除されると、操作部４ａはコイルばね５ａの弾性力によって上方へ移動し、操作部４ａの上端部１４は尾栓６に接近する。
【００２５】
操作部４ａの上下移動に伴い、操作部４ａと一体の芯体３ａ，ペン先９ａは、操作部４ａと共に上下移動する。その結果、操作部４ａが下がると、ペン先９ａが筒体２の孔１３から露出し、逆に操作部４ａが上がると、ペン先９ａは筒体２内に収納される。
【００２６】
操作部４ｂも操作部４ａと同様に芯体３ｂ，コイルばね５ｂを備えており、操作部４ｂは筒体２に設けられたスリット８ｂから外部に露出している。操作部４ｂと一体の芯体３ｂは、芯体３ａとは異なる色のインキが収納されており、使用者は、操作部４ａと操作部４ｂのいずれかを選択して操作し、所望の色のインキを使用する。図２（ｃ）に示すように、操作部４ｂ（操作部４ａも同じ）は寸法ｗの厚みを有しており、音低減部材７の円錐部１６に対して面で接触する。
【００２７】
次に、本発明の特徴部分である音低減部材７について説明する。
音低減部材７は、例えばシリコン，エラストマや、周知の弾性部材で形成されており、図１（ａ）に示すように円筒側壁部１５と、円錐部１６（円錐状の当接面）と、頭部１７とを有している。円筒側壁部１５の直径は、尾栓６の貫通孔１０の内径よりもわずかに大きく設定されており、音低減部材７の円筒側壁部１５は貫通孔１０内に圧入できるようになっている。すなわち、音低減部材７は尾栓６よりも柔軟性を有している。
【００２８】
図１（ｂ）に示すように音低減部材７が尾栓６に装着されると、音低減部材７の円錐部１６は、筒体２内に突出する。その結果、操作部４ａ（４ｂ）が上方へ移動すると、操作部４ａ（４ｂ）の上端部１４ａ（１４ｂ）は、音低減部材７の円錐部１６に当接し、上端部１４ａ（１４ｂ）と尾栓６の間には図１（ｄ）に示すような隙間１８ができる。すなわち、操作部４ａ（４ｂ）と尾栓６とは接触しない。そのため、両者が当接することによる当接音は生じない。ちなみに、尾栓６に音低減部材７が設けられていないと、図１（ｃ）に示すように操作部４ａ（４ｂ）の上端部１４ａ（１４ｂ）は、尾栓６に当接し、当接時には当接音が生じる。
【００２９】
操作部４ａ（４ｂ）には傾斜面１２ａ（１２ｂ）が設けられている。尾栓６に音低減部材７を装着すると、ペン先９ａ（９ｂ；図示せず）を収納した際に、傾斜面１２ａ（１２ｂ）と音低減部材７の円錐部１６とが面接触（当接）する。その結果、操作部４ａ（４ｂ）が上昇する際の円錐部１６との衝突は面で行われ、円錐部１６の部分的（局所的）な損耗が回避される。
【００３０】
ちなみに、音低減部材７の円筒側壁１５と貫通孔１０の間に作用する摩擦力の大きさは、操作部４ａ（４ｂ）が円錐部１６に当接する際の衝撃を十分に支え得る大きさである。
【００３１】
図１，図２では、２色のインキを切換えて使用可能なボールペン１を示したが、本発明は、１色，或いは３色以上の操作部（芯体）を備える場合にも実施可能である。すなわち、操作部がいくつ備えられていても、いずれの操作部の上端部も、音低減部材７の円錐部１６に対して対向配置することができる。
【００３２】
以上説明したボールペン１では、音低減部材７の頭部１７は、筒体２の外部に露出している。そのため、頭部１７を別の用途で使用することができる。すなわち、昨今は、塗布されたインキを、摩擦によって消去することができるものが開発されている。例えば、ボールペン１に、エラストマ製の部材で摩擦することによって消去可能なインキを採用し、音低減部材７の頭部１７をエラストマ製とする。これにより、ボールペン１によって塗布されたインキは、頭部１７を摩擦することによって消去することができる。
【００３３】
次に、本発明の出没式筆記具の別の実施の形態を、図３を参照しながら説明する。
図３は本発明を実施したボールペンの尾栓部分の部分拡大正面図であり、図３（ａ）は音低減部材を完全にねじ込んだ状態を示しており、図３（ｂ）は音低減部材のねじ込みを若干控えた状態を示している。ボールペン２０は、尾栓２１と音低減部材７以外はボールペン１と同じ構成を備えており、重複する説明は省略する。
【００３４】
尾栓２１には、ねじ孔２２が設けてある。また、音低減部材２３の円筒側面にはねじ孔２２と螺合するねじ２４が設けてある。よって、尾栓２１のねじ孔２２に音低減部材２３をねじ込むと、尾栓２１（ボールペン２０）に音低減部材２３を装着することができる。なお、音低減部材２３がねじ孔２２の形状に応じて変形可能な弾性体で構成されていれば、音低減部材２３の円筒側面にねじ２４を設ける必要はない。すなわちこの場合には、ねじ孔２２内に音低減部材２３をねじ込みながら圧入すると、円筒側面がねじ孔２２の凹凸に沿って変形し、音低減部材２３はねじ孔２２内に確実に固定される。
【００３５】
図３（ａ）に示すように、ねじ構造で尾栓２１に音低減部材２３を装着すると、音低減部材２３が確実に尾栓２１（ボールペン２０）に固定される。また、仮に音低減部材２３が破損した場合には、容易に新品と交換することができる。
【００３６】
図３（ａ）に示すように、音低減部材２３を完全にねじ込むと、円錐部２５に操作部４ｂが当接し、操作部４ｂと尾栓２１の間に隙間１９が生じる。すなわち、ペン先が筒体内に収納されて操作部４ｂが上昇しても、操作部４ｂは尾栓２１に当接せず、音低減部材２３の円錐部２５に当接する。その結果、当接音はほとんど発生しない。
【００３７】
また、図３（ｂ）に示すように、音低減部材２３のねじ込みを若干控えると、操作部４ｂの上端は尾栓２１に当接可能となる。すなわち、操作部４ｂは、音低減部材２３の円錐部２５に当接せず、尾栓２１に当接し、明瞭な当接音が発生する。よって、音低減部材２３のねじ込み加減を調整するだけで、使用者の好みや使用環境（周囲の状況）に応じて当接音を生じさせるか否かを選択することができる。
【００３８】
以上では、ボールペン（出没式筆記具）の筒体と尾栓とが別体の場合を示したが、本発明は、筒体と尾栓とが一体のボールペン（出没式筆記具）においても実施することができる。
【００３９】
また、上述の例では、筒体側に対して操作部の最後部（上部）が当接する場合を示したが、操作部の別の部位が筒体側に当接するタイプのボールペン（出没式筆記具）に本発明を実施した場合を、図４を参照しながら説明する。図４は本発明を実施したボールペンの部分断面斜視図であり、（ａ）は芯収納時において操作部が音低減部材に当接している状態を示しており、（ｂ）は、筆記可能に芯を突出させ、筒体に対して操作部がスライド移動した状態を示している。
【００４０】
図４（ｂ）に示すように、ボールペン３０の筒体３２にはスリット３３が設けられており、このスリット３３に沿って操作部３４が摺動可能に設置されている。操作部３４は、図示しないペン先と一体化されており、図示しないコイルばねで常時後方へ付勢されている。
【００４１】
スリット３３の下部には段３５が形成されており、操作部３４の下部にはフランジ部３６が設けてある。
また、フランジ部３６の下面側（先端側）には前述のコイルばね（図示せず）を係合させる係合部３８が設けてある。図示しないコイルばねの付勢力によってスリット３３に沿って操作部３４が摺動し、仮に操作部３４のフランジ部３６がスリット３３の段３５に当接すると、カチッという当接音が生じる。ちなみに図４（ｂ）では、音低減部材３１の描写を省略している。
【００４２】
ところで、筒体３２の後部（上部）には孔３７が設けられており、この孔３７に音低減部材３１が装着される。音低減部材３１は、筒体３２の内部に侵入しており、図４（ａ）に示すように操作部３４がスリット３３に沿って後退すると、操作部３４の後端部（上端部）は音低減部材３１に当接する。すなわち、前述のスリット３３の段３５に操作部３４のフランジ部３６が当接する前に操作部３４が音低減部材３１に当接するようになっている。
【００４３】
仮に、音低減部材３１の筒体３２への装着を浅くする（筒体３２への侵入長さを少なくする）と、操作部３４が音低減部材３１に当接する前に、段３５をフランジ部３６に当接させてカチッという当接音を生じさせることができる。よって音低減部材３１の筒体３２への装着の仕方を変更することによって、当接音を生じさせるか否かを適宜選定することができる。
【図面の簡単な説明】
【００４４】
【図１】本発明を実施したボールペン（出没式筆記具）の部分断面正面図であり、（ａ）は筒体に尾栓を装着する直前の状態を示しており、（ｂ）は筒体に尾栓を装着した状態を示しており、（ｃ）は（ａ）の部分拡大図であり、（ｄ）は（ｂ）の部分拡大図である。
【図２】（ａ）はボールペンを筆記可能な状態にした部分断面正面図であり、（ｂ）は（ａ）の部分拡大図であり、（ｃ）は（ｂ）のｃ−ｃ断面矢視図である。
【図３】図１とは別の、本発明を実施したボールペンの尾栓部分の部分拡大正面図であり、（ａ）は音低減部材を完全にねじ込んだ状態を示しており、（ｂ）は音低減部材のねじ込みを若干控えた状態を示している。
【図４】図１，図３とは別の、本発明を実施したボールペンの部分断面斜視図であり、（ａ）は芯収納時において操作部が音低減部材に当接している状態を示しており、（ｂ）は、芯突出時において筒体に対して操作部がスライド移動した状態を示している。
【符号の説明】
【００４５】
１  ボールペン（出没式筆記具）
２  筒体
３ａ，３ｂ  芯体
４ａ，４ｂ  操作部
５ａ，５ｂ  コイルばね
６  尾栓
７  音低減部材
１０  貫通孔
１４ａ，１４ｂ  操作部の上端部
１５ａ，１５ｂ  音低減部材の円筒側壁部
１６ａ，１６ｂ  音低減部材の円錐部
１７ａ，１７ｂ  音低減部材の頭部
１８  隙間
【図１】
0005401054.tif 000002
【図２】
0005401054.tif 000003
【図３】
0005401054.tif 000004
【図４】
0005401054.tif 000005